(57)【要約】【課題】  止水扉における枠体の接続強度を向上する。【解決手段】  内縁側に受片１１を有する環状の枠体１０と、枠体１０内に嵌め合わせられて受片１１に水密に押し付けられる開閉体２０と備えた止水装置Ａを、構造物Ｓの開口部ａ内に嵌め合わせ固定するようにした止水構造Ｂにおいて、開口部ａの内縁には、受片１１における受面に対する裏側の下流側面を受けるようにして支持部材３３が固定されている。【選択図】  図６
2018035540.tif 000002
【特許請求の範囲】
【請求項１】
内縁側に受片を有する環状の枠体と、該枠体内に嵌め合わせられて前記受片に水密に押し付けられる開閉体と備えた止水装置を、構造物の開口部内に嵌め合わせ固定するようにした止水構造において、
前記開口部の内縁には、前記受片における受面に対する裏側の下流側面を受けるようにして支持部材が固定されていることを特徴とする止水構造。
【請求項２】
前記開口部の内縁には、前記枠体の周方向に沿って連続する長尺状の基材が固定され、前記支持部材は、前記周方向に間隔を置いて複数設けられ、前記基材に固定されていることを特徴とする請求項１記載の止水構造。
【請求項３】
前記受片における下流側面には、前記複数の支持部材に対応する複数の取付片が接続され、これら複数の取付片には、それぞれ、その下流側面に前記支持部材が重ね合わせられて接続されていることを特徴とする請求項２記載の止水構造。
【請求項４】
前記支持部材は、第１片部と該第１片部に交差する第２片部とを一体に有する山形鋼であり、前記第１片部が前記基材に接続され、前記第２片部が前記取付片に接続され、これら支持部材及び取付片の周囲にモルタルが設けられていることを特徴とする請求項３記載の止水構造。
【請求項５】
前記基材を前記開口部の内縁に固定し、前記取付片を止着した前記枠体を前記開口部に嵌め合わせた後、前記支持部材の第１片部を前記基材に、同支持部材の第２片部を前記取付片に、それぞれ溶接するようにしたことを特徴とする請求項４記載の止水構造の施工方法。
【発明の詳細な説明】
【技術分野】
【０００１】
本発明は、水の浸入を防ぐ止水構造及び該止水構造の施工方法に関するものである。
【背景技術】
【０００２】
止水装置は、ビルや、家屋、倉庫等の建築物を含む構造物に形成された開口を、豪雨等による水の氾濫時に開閉体により閉鎖して、該構造物内への水の浸入を防ぐものである（例えば特許文献１参照）。
従来の止水装置は、図８に例示するように、矩形枠状の枠体１０１と、この枠体１０１内で円弧状に回動する開閉体１０２とを備え、枠体１０１の内縁寄りには、閉鎖状態の開閉体１０２に外部から水圧が加わった際に、この開閉体１０２の裏面（水圧方向の下流側の面）の外縁寄りを、止水ゴム１０５を介して受けるように受け片１０１ａが設けられている。
そして、従来の止水装置を用いた止水構造では、枠体１０１の下流側において、開口部ａの内縁に打ち込まれたアンカーボルトａ１に、複数の鉄筋棒ａ２を溶接し、これら鉄筋棒ａ２の先端に、枠体１０１の側面から後方へ延設された平板状ブラケット１０４を溶接するようにしている。鉄筋棒ａ２の周囲の閉鎖空間、及び枠体１０１の裏側の閉鎖空間には、モルタルａ３が注入され固められる。
すなわち、従来の止水扉の設置構造では、開口部ａの内縁と枠体１０１の側面とを、鉄筋棒ａ２及び平板状ブラケット１０４等を介して接続しており、枠体１０１の裏側はモルタルのみによって受けられる。
【先行技術文献】
【特許文献】
【０００３】
【特許文献１】特開２０１５−１４８０９６号公報
【発明の概要】
【発明が解決しようとする課題】
【０００４】
前記従来構造において、開閉体１０２が強大な水圧を受けると、この水圧は、枠体１０１裏側のモルタルに加わり、さらに、平板状ブラケット１０４、鉄筋棒ａ２等にも加わる。このため、前記モルタルが崩れたり、平板状ブラケット１０４が変形したり、平板状ブラケット１０４と鉄筋棒ａ２の溶接箇所や、鉄筋棒ａ２とアンカーボルトａ１の溶接箇所が外れてしまったり等するおそれがある。
【課題を解決するための手段】
【０００５】
このような課題に鑑みて、本発明は、以下の構成を具備するものである。
内縁側に受片を有する環状の枠体と、該枠体内に嵌め合わせられて前記受片に水密に押し付けられる開閉体と備えた止水装置を、構造物の開口部内に嵌め合わせ固定するようにした止水構造において、前記開口部の内縁には、前記受片における受面に対する裏側の下流側面を受けるようにして支持部材が固定されていることを特徴とする止水構造。
【発明の効果】
【０００６】
本発明は、以上説明したように構成されているので、止水扉における枠体の接続強度を向上することができる。
【図面の簡単な説明】
【０００７】
【図１】本発明に係る止水構造の要部を示す斜視図である。
【図２】止水装置の一例を示す正面図である。
【図３】同止水装置の背面図である。
【図４】同止水装置を具備した本発明に係る止水構造の一例を示す縦断面図である。
【図５】図４における下端側部分を示す拡大断面図であり、モルタルは省いている。
【図６】同止水構造の一例を示す横断面図である。
【図７】図６における下端側部分を示す拡大断面図であり、モルタルは省いている。
【図８】従来の止水構造の一例を示す横断面図である。
【発明を実施するための形態】
【０００８】
本実施の形態では、以下の特徴を有する発明を開示している。
第１の特徴は、内縁側に受片を有する環状の枠体と、該枠体内に嵌め合わせられて前記受片に水密に押し付けられる開閉体と備えた止水装置を、構造物の開口部内に嵌め合わせ固定するようにした止水構造において、前記開口部の内縁には、前記受片における受面に対する裏側の下流側面を受けるようにして支持部材が固定されている（図４及び図６参照）。
この構成によれば、水圧による下流方向への力が局部的に加わる受片を、その裏側側から支持部材により受けるようにしているため、各部の変形、破損、外れ等を生じにくい。
【０００９】
第２の特徴は、より強度及び施工性等を向上するために、前記開口部の内縁には、前記枠体の周方向に沿って連続する長尺状の基材が固定され、前記支持部材は、前記周方向に間隔を置いて複数設けられ、前記基材に固定されている。
【００１０】
第３の特徴は、より強度及び施工性等を向上するために、前記受片における下流側面には、前記複数の支持部材に対応する複数の取付片が接続され、これら複数の取付片には、それぞれ、その下流側面に前記支持部材が重ね合わせられて接続されている。
【００１１】
第４の特徴は、より強度及び施工性等を向上するために、前記支持部材は、第１片部と該第１片部に交差する第２片部とを一体に有する山形鋼であり、前記第１片部が前記基材に接続され、前記第２片部が前記取付片に接続され、これら支持部材及び取付片の周囲にモルタルが設けられている。
【００１２】
第５の特徴は、前記止水構造の施工方法であって、前記基材を前記開口部の内縁に固定し、前記取付片を止着した前記枠体を前記開口部に嵌め合わせた後、前記支持部材の第１片部を前記基材に、同支持部材の第２片部を前記取付片に、それぞれ溶接するようにした。
【００１３】
＜具体的実施態様＞
次に、上記特徴を有する具体的な実施態様について、図面に基づいて詳細に説明する。
図１〜図３は、本発明に係る止水構造Ｂの一例に用いられる止水装置Ａを示している。
なお、以下の説明において、上流側とは、水が流れてくる方向側を意味する。また、下流側とは、水が流れて行く方向側を意味する。なお、図示例では、止水装置Ａよりも上流側を屋外側とし、同止水装置Ａよりも下流側を屋内側としている。
【００１４】
止水装置Ａは、内縁に受片１１を有する無端矩形環状の枠体１０と、該枠体１０内に嵌め合わせられて、該枠体１０の受片１１に水密に押し付けられる開閉体２０と備える。
この止水装置Ａは、ビルや、家屋、倉庫等の建築物、トンネルや、地下道を含む構造物Ｓの開口部ａに設置されて、該開口部ａへの水の通過を阻む止水構造Ｂを構成する。
【００１５】
枠体１０は、上下の横枠部材１０ａ，１０ａと左右の縦枠部材１０ｂ，１０ｂにより中央部を開口した一体の矩形枠状に構成される。
横枠部材１０ａと縦枠部材１０ｂの各々は、鋼板等の金属材料を曲げ加工してなり、その内縁側に、下流側（図７によれば上側）へ凹んで枠内側（図７によれば左側）へ突出する略凹状の受片１１を有する。
各受片１１は、開閉体２０の外縁側部分を、その下流側から受けている。
【００１６】
また、各受片１１の突端側には、下流側へ突出するように四方枠１２が接続固定されている。
四方枠１２は、枠体１０の下流側にて、枠内の通路を上下左右から囲む板金製の矩形状枠体である。
この四方枠１２は、枠体１０の受片１１に嵌め合せられ、周知の止着手段（例えば溶接やネジ止め等）によって止着されている。
【００１７】
四方枠１２の前端側は、受片１１の受け面よりも前方へ突出している。したがって、四方枠１２の前端側、及び受片１１は、前方を開口した断面凹状（図５及び図７参照）に構成される。この凹状部分は、枠体１０の内縁に沿って無端矩形環状に連続しており、その内部には、先端部を上流側へ向けるようにして、シールゴム１と止水ゴム２が嵌め合せられている。
【００１８】
枠体１０及び四方枠１２の裏面側は、補強片１４によって補強されている。この補強片１４は、各横枠部材１０ａの長手方向に間隔を置いて複数設けられ、さらに、各縦枠部材１０ｂの長手方向に間隔を置いて複数設けられる。
各補強片１４は、帯状の板金材料を断面クランク状に曲げ加工してなり、枠体１０及び四方枠１２と開口部ａ内縁の間において、枠体１０における受片１１よりも上流側の部分、受片１１、及び四方枠１２の後端側部分に、溶接等の止着手段によって、止着されている（図５及び図６参照）。
【００１９】
また、シールゴム１は、無端矩形環状の受片１１の全周にわたり連続して設けられ、開閉体２０が枠体１０内の開口を閉塞した閉塞位置にある状態で、開閉体２０の下流側面と受片１１の間に挟まれて弾性変形し、気体の通過や、水の流れ等を抑制する。
このシールゴム１は、例えば、エラストマー樹脂やその他の弾性樹脂材料、合成ゴム等から形成され、図示例によれば、断面中空状に形成される。
【００２０】
止水ゴム２は、シールゴム１よりも枠内側において、無端矩形環状の受片１１の全周にわたり連続して設けられ、開閉体２０が枠体１０内の開口を閉塞し、更に下流側へ若干移動した止水位置にある状態で、開閉体２０の下流側面と受片１１の間に挟まれて弾性変形し、水の浸入を阻む。
なお、上述したシールゴム１も水の浸入を阻む作用を若干有するが、止水ゴム２は、シールゴム１よりも強力な止水作用を奏する。
この止水ゴム２は、例えば、エラストマー樹脂やその他の弾性樹脂材料、合成ゴム等から形成され、図示例によれば、断面中実状に形成され、シールゴム１よりも柔軟性を有し且つ強い弾発力を有する。
なお、止水ゴム２の他例としては、独立気泡を有する軟質樹脂材料や、スポンジ状の軟質樹脂材料、中空部を有する軟質樹脂材料等から形成することも可能である。
【００２１】
また、枠体１０の受片１１において、受面に対する裏側に位置する下流側面には、該枠体１０の周方向（縦枠部材１０ｂにおいては上下方向、横枠部材１０ａにおいては略水平方向）へ間隔を置いて複数の取付片１３が固定されている。
この取付片１３は、鋼材からなる矩形平板状の部材であり、一端側を受片１１から枠外方向（図７によれば右方向）へ突出させるようにして、受片１１の背面に固定されている。この固定手段は、例えば、ボルト締めや溶接等とすればよい。
【００２２】
また、開閉体２０は、一方を子扉２１とし、他方を親扉２２とした両開きタイプの扉体である。
ここで、子扉２１とは、先に閉鎖される方の扉体を意味し、親扉２２とは、子扉２１よりも後に閉鎖される方の扉体を意味する。これら子扉２１と親扉２２の幅寸法の大小関係は、図示例によれば略同一としているが、その一方が他方よりも大きくてもよい。
【００２３】
子扉２１は、略矩形板状に形成され、左右辺部のうち、その一方（図２によれば左側）の辺部を、枠体１０の一方の縦枠部材１０ｂに対し、二軸蝶番３を介して支持している。
この子扉２１は、上側の横枠部材１０ａに設けられる周知の閉鎖順序規制装置（図示せず）により、親扉２２が先に閉鎖動作した場合でも該親扉２２よりも先に全閉される。
この子扉２１の戸先側には、親扉２２の戸先側に対し下流側から重なり合うように平板状の受部２１ｂが設けられている（図６参照）。
【００２４】
親扉２２は、略矩形板状に形成され、左右辺部のうち、その他方（図２によれば右側）の辺部を、枠体１０の他方の縦枠部材１０ｂに対し、二軸蝶番３を介して支持している。
この親扉２２は、上述した周知の閉鎖順序規制装置（図示せず）により、子扉２１よりも後に全閉される。
この親扉２２の戸先側には、子扉２１の戸先側の受部２１ｂに重なり合うように止水ゴム２２ａが設けられている（図６参照）。
【００２５】
二軸蝶番３は、二つの回転軸とこれら回転軸に枢支されたリンク部材等を具備した周知の軸支装置である。この二軸蝶番３は、子扉２１と親扉２２の各々を、縦枠部材１０ｂ寄りの一方の回転軸を支点にして回動させて開閉動作する。また、子扉２１と親扉２２が全閉した閉鎖位置において、これら子扉２１及び親扉２２を、他方の回転軸を支点にして回動させることで下流側へ略平行に移動させる。この平行移動により、子扉２１及び親扉２２は、上述した止水ゴム２を弾性的に押し潰して止水位置となる。
【００２６】
次に、上記構成の止水装置Ａを構造物Ｓの開口部ａに設置してなる止水構造Ｂについて、その施工方法を詳細に説明する。
【００２７】
先ず、構造物Ｓのコンクリート製の開口部ａの内縁に、枠体１０の周方向に沿って連続する長尺状の基材３２が固定される。詳細に説明すれば、この基材３２は、開口部ａ内縁を形成する上下の水平面にそれぞれ設けら、左右の側面にもそれぞれ設けられる。
各基材３２は、鋼材からなる長尺帯状の部材であり、開口部ａ内縁に打ち込まれた複数のアンカーボルト３１によって不動に固定される。
【００２８】
次に、各基材３２に対し、その長手方向に間隔を置いて複数の支持部材３３が固定される。これら複数の支持部材３３の配置は、枠体１０側の複数の取付片１３の位置に対応する。
各支持部材３３は、前記第１片部が前記第２片部から下流側へ延設され、この延設部分が基材３２に止着されている。
各支持部材３３は、図示例によれば、第１片部と該第１片部に略直交する第２片部とを一体に有する山形鋼（図示例によれば等辺山形鋼）を短尺状に切断したものである。
前記第１片部は、基材３２の表面に面接触した状態で、下流側からのすみ肉溶接により基材３２に止着される。
また、前記第２片部は、取付片１３の裏面（下流側面）に面接触した状態で、下流側からのすみ肉溶接により取付片１３の裏面に止着される。図５及び図７において、符号Ｗは、すみ肉溶接の箇所を示す。
なお、各支持部材３３の他例としては、第１片部の中央部分から第２片部が立ち上がるＴ字鋼としてもよい。
【００２９】
次に、下側の横枠部材１０ａと、対向する開口部ａ内縁との間、及び上側の横枠部材１０ａと、対向する開口部ａ内縁との間に、複数の鉄筋棒３４が固定される。
各鉄筋棒３４は、その一端側が、下流側からの溶接により基材３２の表面に止着され、その他端側が、下流側からの溶接により、補強片１４の下流側端部寄りに止着される（図５参照）。
これら鉄筋棒３４は、水圧や、通過物の重量等により、四方枠１２の下流側が上下方向へ傾くのを抑制する。
【００３０】
また、枠体１０の外側面と開口部ａの間には、弾性体からなる止水パッキン３５が、水の浸入方向に対し複層状に装着される。
そして、支持部材３３の周囲には、モルタルＭが充填され固められる（図４及び図６参照）。この充填作業においては、モルタルＭを、間隔を置いた複数の支持部材３３の間に流し込めるため、その作業効率が良好である。
なお、この施工方法は、枠体１０の上側と下側（図４及び図５参照）、同枠体１０の左側と右側（図６及び図７参照）において、それぞれ同様である。
【００３１】
なお、図１〜図３において、符号６は、親扉２２の開閉操作を行うための開閉用ノブ、符号７，８は、閉鎖位置にある親扉２２を止水位置に移動するために回転操作されるグレモンハンドル、符号４，５は、閉鎖位置にある子扉２１を止水位置に移動するために回転操作されるグレモンハンドルである。
【００３２】
よって、次に上記構成の止水構造Ｂ及び該止水構造Ｂの施工方法について、その特徴的な作用効果を詳細に説明する。
開閉体２０（親扉２２及び子扉２１）の閉鎖位置において、グレモンハンドル４，５，７，８がそれぞれ操作されると、親扉２２と子扉２１はシールゴム１及び止水ゴム２を圧縮変形させ、親扉２２戸先側の止水ゴム２２ａを子扉２１戸先側の受部２１ｂに押し付けて、開閉体２０内外を水密に保持した止水位置になる。
この状態において、止水装置Ａの屋外側に水害等に起因する水圧が加わると、その水圧によって開閉体２０は下流方向へ押圧され（図４及び図６参照）、さらに、これら開閉体２０を受片１１によって受ける枠体１０も下流方向へ押圧される。
この際の押圧力は、受片１１の部分に局部的に加わり、受片１１の真後ろ側で、複数の取付片１３により受けられる（図５及び図６参照）。
取付片１３の後ろ側は、先に説明した頑強な固定構造を有する。すなわち、各取付片１３は、すみ肉溶接により支持部材３３に接続されている。さらに、複数の支持部材３３は、それぞれ、すみ肉溶接により長尺状の基材３２に接続されている。そして、基材３２は、複数のアンカーボルト３１によって構造物Ｓに固定され、これらの周囲にはモルタルＭが固められている。
よって、止水構造Ｂによれば、水圧による各部の変形を生じにくく、枠体１０よりも下流側の固定構造が破損したり、溶接箇所が外れたり、モルタルＭが崩れたり等するようなことを防ぐことができ、良好な止水性能を維持することができる。
【００３３】
なお、上記実施態様によれば、支持部材３３は基材３２に止着した後に取付片１３に止着しているが、その止着順序を逆にすることも可能である。
【００３４】
また、上記実施態様によれば、枠体１０における受片１１裏側の下流側面を、取付片１３を介して支持部材３３により受けるようにしたが、他例としては、同下流側面を直接支持部材３３によって受ける構造とすることも可能である。
【００３５】
また、上記実施態様によれば、止水装置Ａよりも上流側を屋外側とし、同止水装置Ａよりも下流側を屋内側としているが、構造物Ｓの設置状況等によっては上流側が屋内側、下流側が屋外側とすることも可能である。このような場合には、止水装置Ａについて厚み方向を図示と逆に設置すればよい。すなわち、開閉体２０を屋内側へ向けて、この開閉体２０を屋外外から枠体１０の受片１１により受けるようにする。
【００３６】
また、上記実施態様によれば、止水装置Ａとして両開きタイプの止水扉を構成したが、他例としては、片開きタイプの止水扉や、引戸タイプの止水扉等を構成することも可能である。
【００３７】
また、本発明は上述した実施態様に限定されず、本発明の要旨を変更しない範囲で適宜変更可能である。
【符号の説明】
【００３８】
１０：枠体
１０ａ：横枠部材
１０ｂ：縦枠部材
１１：受片
２０：開閉体
２１：子扉
２２：親扉
３１：アンカーボルト
３２：基材
３３：支持部材
３４：鉄筋棒
Ａ：止水装置
Ｂ：止水構造
Ｍ：モルタル
Ｓ：構造物
Ｗ：溶接箇所
ａ：開口部
【図１】
2018035540.tif 000003
【図２】
2018035540.tif 000004
【図３】
2018035540.tif 000005
【図４】
2018035540.tif 000006
【図５】
2018035540.tif 000007
【図６】
2018035540.tif 000008
【図７】
2018035540.tif 000009
【図８】
2018035540.tif 000010